(57)【要約】  ユーザ機器（ＵＥ）は、少なくとも１つの帯域幅部分（ＢＷＰ）固有の設定情報で設定される。ＵＥは、帯域幅部分（ＢＷＰ）に固有の設定情報を受信する。設定情報は、ビーム障害検出（ＢＦＤ）タイマの初期値及びビーム障害インディケイション（ＢＦＩ）カウント閾値を設定する。ＵＥは、下位サブレイヤからＢＦＩ（ｂｅａｍ  ｆａｉｌｕｒｅ  ｉｎｄｉｃａｔｉｏｎ）を受信すると、初期値からＢＦＤタイマを起動または再起動させ、ＢＦＩカウンタを用いて受信されたＢＦＩの個数をカウントする。ＵＥは、再設定情報を受信すると、ＢＦＩカウンタをゼロにリセットする。再設定情報、すなわちＢＷＰに固有の情報は、ＢＦＤタイマ初期値およびＢＦＩカウント閾値のうちの少なくとも１つを再設定する。
2021515477.tif 000002
【特許請求の範囲】
【請求項１】
無線通信のためのユーザ機器（ＵＥ）であって、
実行可能命令が記録された１つ以上の非一時的コンピュータ読み取り可能媒体と、
前記１つ以上の非一時的コンピュータ読み取り可能媒体に結合され、前記実行可能命令を実行し、
ビーム障害検出（ＢＦＤ）タイマの初期値およびビーム障害指示（ＢＦＩ）カウント閾値を設定する第１無線リソース制御（ＲＲＣ）コンフィギュレーションであって、帯域幅部分（ＢＷＰ）に固有の第１ＲＲＣコンフィギュレーションを受信し、
下位サブレイヤからＢＦＩを受信した場合、前記初期値から前記ＢＦＤタイマを起動または再起動し、
ＢＦＩカウンタを使用して受信したＢＦＩの数をカウントし、
前記ＢＷＰに固有の第２ＲＲＣコンフィギュレーションを受信すると、前記ＢＦＩカウンタをゼロにセットし、前記第２ＲＲＣコンフィギュレーションは、前記ＢＦＩカウント閾値を再設定する、ように構成された少なくとも１つのプロセッサとを備える、ユーザ機器。
【請求項２】
前記第２ＲＲＣコンフィギュレーションは、ダウンリンクＲＲＣメッセージを介して受信される、請求項１に記載のユーザ機器。
【請求項３】
前記第２ＲＲＣコンフィギュレーションは、無線リンク監視構成情報要素である、請求項１に記載のユーザ機器。
【請求項４】
前記第２ＲＲＣコンフィギュレーションは、前記ＢＦＤタイマの前記初期値をさらに再設定する、請求項１に記載のユーザ機器。
【請求項５】
無線通信のための方法であって、
ビーム障害検出（ＢＦＤ）タイマの初期値およびビーム障害指示（ＢＦＩ）カウント閾値を設定する第１無線リソース制御（ＲＲＣ）コンフィギュレーションであって、帯域幅部分（ＢＷＰ）に固有の第１ＲＲＣコンフィギュレーションを受信し、
下位サブレイヤからＢＦＩを受信した場合、前記ＢＦＤタイマを起動または再起動し、
ＢＦＩカウンタを使用して受信したＢＦＩの数をカウントし、
前記ＢＷＰに固有の第２ＲＲＣコンフィギュレーションを受信すると、前記ＢＦＩカウンタをゼロにセットし、前記第２ＲＲＣコンフィギュレーションは、前記ＢＦＩカウント閾値を再設定する、方法。
【請求項６】
前記第２ＲＲＣコンフィギュレーションは、ダウンリンクＲＲＣメッセージを介して受信される、請求項５に記載の方法。
【請求項７】
前記第２コンフィギュレーションは、無線リンク監視構成情報要素である、請求項５に記載の方法。
【請求項８】
前記第２コンフィギュレーションは、前記ＢＦＤタイマの前記初期値をさらに再設定する、請求項５に記載の方法。
【請求項９】
無線通信のためのユーザ機器（ＵＥ）であって、
ビーム障害検出（ＢＦＤ）タイマの初期値およびビーム障害指示（ＢＦＩ）カウント閾値を設定する第１無線リソース制御（ＲＲＣ）コンフィギュレーションであって、帯域幅部分（ＢＷＰ）に固有の第１ＲＲＣコンフィギュレーションを受信する手段と、
物理（ＰＨＹ）サブレイヤからＢＦＩを受信した場合、前記ＢＦＤタイマを起動または再起動する手段と、
ＢＦＩカウンタを使用して受信されたＢＦＩの数をカウントする手段と、
前記ＢＷＰに固有の第２ＲＲＣコンフィギュレーションを受信すると、前記ＢＦＩカウンタをゼロにセットする手段であって、前記第２ＲＲＣコンフィギュレーションは、前記ＢＦＩカウント閾値を再設定する手段と、を有する、ユーザ機器。
【請求項１０】
前記第２ＲＲＣコンフィギュレーションは、ダウンリンクＲＲＣメッセージを介して受信される、請求項９に記載のユーザ機器。
【請求項１１】
前記第２ＲＲＣコンフィギュレーションは、無線リンク監視構成情報要素である請求項９に記載のユーザ機器。
【請求項１２】
前記第２コンフィギュレーションは、前記ＢＦＤタイマの前記初期値をさらに再設定する、請求項９に記載のユーザ機器。
【発明の詳細な説明】
【関連出願の相互参照】
【０００１】
本出願は代理人整理番号ＵＳ７３３６６を有する「ＵＥ  ＢＥＨＡＶＩＯＲ  ＯＮ  ＢＥＡＭ  ＦＡＩＬＵＲＥ  ＤＥＴＥＣＴＩＯＮ  ＡＮＤ  ＲＥＣＯＶＥＲＹ」と題する、平成３０年３月９日に出願された米国仮出願第６２／６４０，６９６号（以下、「ＵＳ７３３６６出願」という）の利益および優先権を主張し、代理人整理番号ＵＳ７３５０７を有する「ＵＥ  ＢＥＨＡＶＩＯＲ  ＯＮ  ＢＥＡＭ  ＦＡＩＬＵＲＥ  ＤＥＴＥＣＴＩＯＮ  ＡＮＤ  ＲＥＣＯＶＥＲＹ」と題する、平成３０年４月３日に出願された米国仮出願第６２／６５１，８４２号（以下、「ＵＳ７３５０７出願」という）の利益および優先権を主張する。ＵＳ７３３６６出願およびＵＳ７３５０７出願の開示は、参照により本開示に完全に組み込まれる。
【技術分野】
【０００２】
本発明は一般に、ユーザ機器によって実行されるビーム障害回復のための手順と、それを実行するユーザ機器とに関する。
【背景技術】
【０００３】
新無線（ＮＲ：Ｎｅｗ  Ｒａｄｉｏ）では、サービングＳＳＢ（ｓ）および／またはＣＳＩ−ＲＳ（ｓ）上でビーム障害が検出されたとき、ユーザ機器（ＵＥ：Ｕｓｅｒ  Ｅｑｕｉｐｍｅｎｔ）が、新しい同期信号ブロック（ＳＳＢ：Ｓｙｎｃｈｒｏｎｉｚａｔｉｏｎ  Ｓｉｇｎａｌ  Ｂｌｏｃｋ）または新しいチャネル状態情報参照信号（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）をサービングｇＮＢに示すために、ビーム障害回復（ＢＦＲ：Ｂｅａｍ  Ｆａｉｌｕｒｅ  Ｒｅｃｏｖｅｒｙ）手順を導入した。ＢＦＲ手順は、下位サブレイヤ（１つまたは複数）から媒体アクセス制御（ＭＡＣ：Ｍｅｄｉｕｍ  Ａｃｃｅｓｓ  Ｃｏｎｔｒｏｌ）エンティティに受信されたビーム障害インディケイションをカウントするように働くビーム障害検出手順を介して実行される。
【０００４】
さらに、キャリアアグリゲーション（ＣＡ：Ｃａｒｒｉｅｒ  Ａｇｇｒｅｇａｔｉｏｎ）はＮＲでサポートされ、高スループットを達成できる６ＧＨｚ（ＦＲ２）以上でセカンダリセル（ＳＣｅｌｌ：Ｓｅｃｏｎｄａｒｙ  Ｃｅｌｌ）を展開しながら、信頼性の高い制御情報伝送を達成できるサブ６ＧＨｚ（ＦＲ１）にプライマリセル（ＰＣｅｌｌ：Ｐｒｉｍａｒｙ  Ｃｅｌｌ）が展開されると仮定される。ＦＲ２でより頻繁に発生したビーム閉塞（例えば、ビーム障害）を解決するために、ＢＦＲは、ＰＣｅｌｌおよびＳＣｅｌｌの両方でサポートされる必要がある。しかし、単一のＭＡＣエンティティ内の複数のセル（例えば、ＰＣｅｌｌおよびＳＣｅｌｌの両方）間でビーム障害検出およびビーム障害回復手順を効率的に処理する方法は課題である。特に、ＭＡＣエンティティ内で別のエンティティが既に進行中である間に、ＭＡＣエンティティが新しいビーム障害回復手順を開始するための要求を受信する場合、進行中の手順を継続するか、または新しい手順で開始するかは、ＵＥの実装次第である。したがって、キャリアアグリゲーションのために単一のＭＡＣエンティティに関連付けられた複数のセル間で実行されるビーム障害検出中に、複数のランダムアクセス手順が複数のセル間のトリガされたＢＦＲによって要求されることが可能であり、１つのランダムアクセス手順がトリガされ、現在進行中である間に、追加のランダムアクセス手順がトリガされることが可能である。
【発明の概要】
【０００５】
本開示は特に、より効率的なビーム障害検出及びビーム障害回復手順を達成するためのビーム障害回復手順を対象とする。
【０００６】
本開示の一態様では、無線通信のためのユーザ機器（ＵＥ）が提供される。ＵＥは帯域幅部分（ＢＷＰ：ＢａｎｄＷｉｄｔｈ  Ｐａｒｔ）に固有の第１無線リソース制御（ＲＲＣ）コンフィギュレーションを受信するように構成され、第１ＲＲＣコンフィギュレーションはビーム障害検出（ＢＦＤ：Ｂｅａｍ  Ｆａｉｌｕｒｅ  Ｄｅｔｅｃｔｉｏｎ）タイマの初期値およびビーム障害指示（ＢＦＩ：Ｂｅａｍ  Ｆａｉｌｕｒｅ  Ｉｎｄｉｃａｔｉｏｎ）カウント閾値を設定し、下位サブレイヤからビーム障害指示（ＢＦＩ）を受信すると、初期値からＢＦＤタイマを開始または再開し、ＢＦＩカウンタを使用して、受信されたＢＦＩの数をカウントし、ＢＷＰに固有の第２ＲＲＣコンフィギュレーションを受信すると、ＢＦＩカウンタをゼロに設定し、第２ＲＲＣコンフィギュレーションは、ＢＦＩカウント閾値を再設定する。
【０００７】
本開示の一態様では、ユーザ機器（ＵＥ）によって実行される無線通信のための方法が提供される。この方法は帯域幅部分（ＢＷＰ）に固有の第１ＲＲＣコンフィギュレーションを受信することと、ビーム障害検出（ＢＦＤ）タイマの初期値およびビーム障害インディケイション（ＢＦＩ）カウント閾値を設定する第１ＲＲＣコンフィギュレーションと、下位サブレイヤからビーム障害インディケイション（ＢＦＩ）を受信したときにＢＦＤタイマを開始または再始動することと、ＢＦＩカウンタを使用して受信したＢＦＩの数をカウントすることと、ＢＷＰに固有の第２ＲＲＣコンフィギュレーションを受信したときにＢＦＩカウンタをゼロに設定することとを含み、第２ＲＲＣコンフィギュレーションは、ＢＦＩカウント閾値を再設定する。
【図面の簡単な説明】
【０００８】
例示的な開示の態様は添付の図面と共に読まれるとき、以下の詳細な説明から最も良く理解される。様々な特徴は一定の縮尺で描かれておらず、様々な特徴の寸法は解説を明確にするために任意に増減されてもよい。
【図１】図１は、本開示の一実施形態による、ビーム障害検出（ＢＦＤ）タイマ及びビーム障害インディケイション（ＢＦＩ）カウンタの動作を示す概略図である。
【図２】図２は、本開示の一実施形態によるＢＦＤ指示を停止する手順を示す概略図である。
【図３】本開示の一実施形態による、ビーム障害検出（ＢＦＤ）タイマ及びビーム障害インディケイション（ＢＦＩ）カウンタの動作を示す概略図である。
【図４】本開示の一実施形態による、ビーム障害検出（ＢＦＤ）タイマ及びビーム障害インディケイション（ＢＦＩ）カウンタの動作を示す概略図である。
【図５】図５は、本開示の一実施形態による、ＵＥがビーム障害回復のための条件付きランダムアクセス手順を実行するための決定フローチャートである。
【図６】図６は、本開示の１つの実施形態による、条件付きビーム障害回復を実行するためのＵＥのための決定フローチャートである。
【図７】図７は、本開示の様々な実施形態による、無線通信のためのデバイスのブロック図である。
【発明を実施するための形態】
【０００９】
以下の説明は、本開示における例示的な態様に関連する特定の情報を含む。本開示における図面及びそれらの添付の詳細な説明は、単に例示的な態様を対象としている。しかし、本開示は、これらの例示的な態様のみに限定されるものではない。本開示の他の変形及び態様は、当業者には想起されるのであろう。特に断らない限り、複数の図中の同様のまたは対応する要素は、同様のまたは対応する参照番号によって示され得る。さらに、本開示における図面および例示は、ほとんどの場合、一定の縮尺ではなく、実際の相対的な寸法に対応することを意図していない。
【００１０】
本明細書では「一実施形態で」、「一実施形態で」、「いくつかの実施形態で」、または「いくつかの実施形態で」という語句を使用し、これらはそれぞれ、同じ実施形態または異なる実施形態のうちの１つまたは複数を指すことがある。用語「結合された」は介在する構成要素を介して直接的または間接的に接続されたものとして定義され、必ずしも物理的な接続に限定されない。用語「備える」は利用される場合、「含むが、必ずしもその構成に限定されない」を意味し、この用語はそのように説明された組み合わせ、群、系列、および同等物におけるオープンエンドの包含または構成要素を明確に示している。
【００１１】
用語「および／または」は、関連する列挙された項目のうちの１つまたは複数の任意の組合せおよびすべての組合せを含むことに留意されたい。第１、第２、第３などのタームは様々な要素、構成要素、領域、部分および／またはセクションを説明するために本明細書で使用され得るが、これらの要素、構成要素、領域、部分および／またはセクションはこれらのタームによって限定されるべきではないことも理解されるのであろう。これらのタームは、１つの素子、構成素子、領域、部分またはセクションを別の素子、構成素子、領域、層またはセクションから区別するためにのみ使用される。したがって、以下で説明する第１の素子、構成素子、領域、部分、またはセクションは、本開示の教示から逸脱することなく、第２の素子、構成素子、領域、層、またはセクションと呼ぶことができる。
【００１２】
なお、本明細書において、ＵＥとしては移動局、携帯端末又は携帯機器、ユーザ通信無線端末が挙げられるが、これらに限定されない。例えば、ＵＥは携帯無線機器であってもよく、携帯電話、タブレット、ウェアラブルデバイス、センサ、携帯情報端末（ＰＤＡ：Ｐｅｒｓｏｎａｌ  Ｄｉｇｉｔａｌ  Ａｓｓｉｓｔａｎｔ）、または無線通信能力を有するテレビディスプレイを含むが、これらに限定されない。上記ＵＥは、無線アクセスネットワークにおける１つまたは複数のセルと、エアー・インターフェース上で、信号を送受信するよう構成されている。
【００１３】
基地局はユニバーサルモバイルテレコミュニケーションシステム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）におけるようなノードＢ（ＮＢ：Ｎｏｄｅ  Ｂ）、ロングタームエボリューションアドバンスト（ＬＴＥ-Ａ：Ｌｏｎｇ−Ｔｅｒｍ  Ｅｖｏｌｕｔｉｏｎ  Ａｄｖａｎｃｅｄ）におけるようなエボルブドノードＢ（ｅＮＢ：ｅｖｏｌｖｅｄ  Ｎｏｄｅ  Ｂ）、ＵＭＴＳにおけるような無線ネットワークコントローラ（ＲＮＣ：ｒａｄｉｏ  ｎｅｔｗｏｒｋ  ｃｏｎｔｒｏｌｌｅｒ）、グローバルシステムフォーモバイルコミュニケーション／ＧＳＭ  ＥＤＧＥ無線アクセスネットワーク（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎ／ＧＥＲＡＮ：ＧＳＭ  ＥＤＧＥ  Ｒａｄｉｏ  Ａｃｃｅｓｓ  Ｎｅｔｗｏｒｋ）におけるような基地局コントローラ（ＢＳＣ：Ｂａｓｅ  Ｓｔａｔｉｏｎ  Ｃｏｎｔｒｏｌｌｅｒ）、ＵＥに向けてエボルブドユニバーサル地上無線アクセス（Ｅ-ＵＴＲＡ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）ユーザプレーンおよび制御プレーンプロトコル終端を提供し、ＮＧインターフェースを介して５Ｇコアネットワーク（５ＧＣ：５Ｇ  Ｃｏｒｅ  ｎｅｔｗｏｒｋ）に接続されるノードとしての次世代ｅＮＢ（ｎｇ-ｅＮＢ：ｎｅｘｔ  ｇｅｎｅｒａｔｉｏｎ  ｅＮＢ）、５Ｇアクセスネットワーク（５Ｇ-ＡＮ：５Ｇ  Ａｃｃｅｓｓ  Ｎｅｔｗｏｒｋ）におけるような次世代ノードＢ（ｇＮＢ）、およびセルラー測位技術を用いた無線通信を制御し、セル内の無線リソースを管理することができる任意の他の装置を含むことができるが、これらに限定されない。基地局は、ネットワークへの無線インターフェースを介して１つまたは複数のＵＥにサービスを提供するように接続し得る。以下では、基地局、セル、ｇＮＢ、およびｇＮＢ／セルを互換的に使用することができる。
【００１４】
ビーム障害回復（ＢＦＲ）手順では、物理（ＰＨＹ：Ｐｈｙｓｉｃａｌ）サブレイヤが、特定のビーム測定基準が満たされる場合、ビーム障害インディケイション（ＢＦＩ）をＭＡＣエンティティに送信する。ビーム障害インディケイション（ＢＦＩ）カウンタ（例えば、ＢＦＩ＿ｃｏｕｎｔｅｒ）は、ＰＨＹサブレイヤから受信されたビーム障害インディケイションの数をカウントするためにＭＡＣエンティティによって使用される。ＢＦＩ＿ＣＯＵＮＴＥＲがある値／閾値（例えば、最大数のビーム障害指示、ＭＢＦＩ）に達すると、ＭＡＣエンティティは命令に従う対応するランダムアクセス手順を実行することによってビーム障害回復をトリガし、ｇＮＢによって送信される特定の無線リソース制御（ＲＲＣ：Ｒａｄｉｏ  Ｒｅｓｏｕｒｃｅ  Ｃｏｎｔｒｏｌ）メッセージで搬送されるビーム障害回復構成（例えば、ＢｅａｍＦａｉｌｕｒｅＲｅｃｏｖｅｒｙＣｏｎｆｉｇ）などの特定の情報要素（ＩＥ：Ｉｎｆｏｒｍａｔｉｏｎ  Ｅｌｅｍｅｎｔ）に含まれるパラメータを使用する。本開示に記載される特定のＲＲＣメッセージはＲＲＣＲｅｃｏｎｆｉｇｕｒａｔｉｏｎ、ＲＲＣＲｅｓｕｍｅ、ＲＲＣＲｅｅｓｔａｂｌｉｓｈｍｅｎｔ、ＲＲＣＳｅｔｕｐまたは他のダウンリンクユニキャストＲＲＣメッセージを含むことができるが、これらに限定されないことに留意されたい。ＭＡＣエンティティは、ＢＦＩカウンタをリセットするためのビーム障害検出（ＢＦＤ）タイマをセットアップする。タイマは初期値から開始し、その後、０までずっと進むように実装することができることに留意されたい。タイマが０に達すると、タイマは満了したものとして扱われる。また、タイマは０から始まり、次いで、特定の値までずっと進む、逆方向動作として実施することもできる。この逆方向動作の場合、タイマは、タイマが特定の値に達したときに満了したものとして扱われる。ここで、初期値と特定値のどちらかは、特定のＲＲＣメッセージを介してｇＮＢによって設定される。なお、本開示においては、初期値と具体的な値はともにＭＢＦＤとして表現することができる。
【００１５】
どの実装オプションが取られたかにかかわらず、タイマの起動時間からタイマの有効期限までの時間隔はＭＢＦＤと等しくなる。全ての図に示されるようなＢＦＤタイマ実行動作は、本開示の例示的な実施形態である。ＢＦＤタイマ、ＢＦＩの新たな受信毎に（再）スタートされる。ＢＦＤタイマが満了すると、ＭＡＣエンティティはＢＦＩカウンタをリセットする。ＭＢＦＩとＭＢＦＤは特定のＲＲＣメッセージで運ばれる無線リンク監視設定（例えば、ＲａｄｉｏＬｉｎｋＭｏｎｉｔｏｒｉｎｇＣｏｎｆｉｇ）のような特定のＩＥを介してｇＮＢによって設定されてもよいことに留意されたい。
【００１６】
本開示内で言及されるビームは、空間（ドメイン）フィルタリングと同等であることに留意されたい。例えば、空間フィルタリングは対応するアンテナ素子によって送信される前に、信号の位相および／または振幅を調整することによって、アナログ領域で適用される。別の実施例として、無線通信システムにおける多入力多出力（ＭＩＭＯ：Ｍｕｌｔｉ−Ｉｎｐｕｔ  Ｍｕｌｔｉ−Ｏｕｔｐｕｔ）技術により、ディジタル領域で空間フィルタリングを適用した。したがって、特定のビームを使用してＵＥによって行われる物理アップリンク共有チャネル（ＰＵＳＣＨ：Ｐｈｙｓｉｃａｌ  Ｕｐｌｉｎｋ  Ｓｈａｒｅｄ  ＣＨａｎｎｅｌ）送信は、アナログ／デジタル領域において、ＵＥによって行われる特定の空間フィルタリング技術を使用してＰＵＳＣＨ送信を意味する。ビームはアンテナ、アンテナポート、アンテナ素子、アンテナの群、アンテナポートの群、またはアンテナ素子の群によって形成され得るが、これらに限定されない。ビームは代替的に、ある基準信号リソースで作られてもよい。ビームは、電磁（ＥＭ：ＥｌｅｃｔｒｏＭａｇｎｅｔｉｃ）放射線が透過される空間領域フィルタリングと等価であってもよい。
【００１７】
図１は、ＵＥのために構成されたＢＦＤタイマ及びＢＦＩカウンタ動作のための動作の概略図を示す。図１では、ＢＦＩ＿ＣＯＵＮＴＥＲが時刻ｔ１にＰＨＹサブレイヤからビーム障害インディケイション（ＢＦＩ）を受信すると１ずつ増え、同じくｔ１において、ＢＦＤタイマは０から始まる。時刻ｔ２では、ＢＦＩ＿ＣＯＵＮＴＥＲがＰＨＹサブレイヤからビーム障害インディケイションがまだ受信されているため、追加の１ずつ増える。同じくｔ２において、ＢＦＤタイマは０から再起動する。時間ｔ３においてＢＦＩ＿ＣＯＵＮＴＥＲが閾値ＭＢＦＩ（ここではＭＢＦＩｅｑｕａｌｓ＝２）を超えると、ＭＡＣエンティティは、ビーム障害回復のためのランダムアクセス手順をトリガする。ｔ３において、ＢＦＤタイマはビーム障害インディケイションの受信により、再度０から始動する。ＵＥがＢＦＩを受信しなくなった場合、ＢＦＤタイマは期限切れになる最大ＢＦＤ値（たとえば、このケースではＭＢＦＤは２に等しい）に達するまで、後続の各時点（ｔ４およびｔ５）で１ずつ増える。図１は、本開示の一実施形態によるＢＦＤタイマ逆方向動作を示すことに留意されたい。初期値からゼロまで始まるＢＦＤタイマ動作は、本開示の別の実施形態に従って適用されてもよい。
【００１８】
繰り返しトリガされるランダムアクセス手順を回避し、ＢＦＩカウンタおよびＢＦＤタイマ動作の効率的な調整を達成するために、ビーム障害回復のための条件付きランダムアクセス手順が提供される。
【００１９】
本開示の一実施形態では、ＵＥに複数の帯域幅部分（ＢＷＰ）が設定され、そのアクティブＢＷＰに固有の設定情報（例えば、ＲａｄｉｏＬｉｎｋＭｏｎｉｔｏｒｉｎｇＣｏｎｆｉｇおよび／またはＢｅａｍＦａｉｌｕｒｅＲｅｃｏｖｅｒｙＣｏｎｆｉｇ）に従って、一度に１つのアクティブＢＷＰで動作することができる。アクティブＢＷＰは設定されたＢＷＰ間で切り替わる可能性があるため、ｇＮＢはＢＷＰがアクティブになる前に、１つのＢＷＰに固有のそれぞれの設定情報を使用してＵＥを設定する。ＢＷＰに固有の設定情報は、ダウンリンクＲＲＣメッセージを介してＵＥによって受信される可能性がある。ＢＷＰ固有の設定情報には、ＢＦＩカウント閾値（ＭＢＦＩなど）の設定とＢＦＤタイマの初期値が含まれる。ＢＦＩカウンタは、再設定情報（ＲａｄｉｏＬｉｎｋＭｏｎｉｔｏｒｉｎｇＣｏｎｆｉｇやＢｅａｍＦａｉｌｕｒｅＲｅｃｏｖｅｒｙＣｏｎｆｉｇなど）を受信すると、開始されるかゼロにリセットされる。再構成情報はＢＦＩカウント閾値および／または更新されたＢＦＤタイマを更新／再構成するために送信される（例えば、ＢＦＤタイマへの初期値の構成および／またはＢＦＩカウント閾値の構成の更新）。あるいは、ＢＦＩカウンタが特定のＢＷＰ（例えば、初期ＢＷＰ）に対するビーム障害インディケイション送信およびビーム障害対応参照信号測定手順を開始するために、下位サブレイヤを示す前に、ゼロに開始またはリセットされてもよい。そして、各アクティブＢＷＰに対するビーム障害検出（ＢＦＤ）手順、ビーム障害指示送信、およびビーム障害対応参照信号測定は対応するサービングセルがアクティブ化された直後に、明示的シグナリング、例えばＭＡＣ制御要素（ＭＡＣ  ＣＥ：ＭＡＣ  Ｃｏｎｔｒｏｌ  Ｅｌｅｍｅｎｔ）、または特定のダウンリンク制御インジケータ（ＤＣＩ：Ｄｏｗｎｌｉｎｋ  Ｃｏｎｔｒｏｌ  Ｉｎｄｉｃａｔｏｒ）を受信した下位サブレイヤからの指示のいずれかでアクティブ化することができる。
【００２０】
対応するサービングセルの初期ＢＷＰは対応するサービングセルがアクティブ化された直後にアクティブ化されるので、初期ＢＷＰ内のＢＦＤ手順は対応するサービングセルがアクティブ化された直後にアクティブ化されてもよい。そして、対応するサービングセルの初期ＢＷＰを除く残りのＢＷＰ内のＢＦＤ手順は例えば、ＭＡＣ  ＣＥまたはＤＣＩによってトリガされた後にのみアクティブ化されてもよい。
【００２１】
さらに、ＢＷＰが切り替わっているとき、ＢＦＲ手順の活性化／停止を受信する前に、ＢＦＩカウンタ値およびＢＦＤタイマ値をゼロにリセットすることができる。ＵＥはＢＦＩカウンタおよび／またはＢＦＤタイマをリセットし、ＢＷＰが切り替わっている間（例えば、アクティブ化／非アクティブ化コメントを待っていない間）、下位サブレイヤがＢＦＩインディケイションを送信することを可能にする。
【００２２】
ビーム障害回復のためのランダムアクセスの重複トリガを回避するために、ＢＦＲ手順がトリガされると、ビーム障害検出を停止することができる。一実施形態では、ＭＡＣエンティティがＢＦＤ指示をＭＡＣエンティティに示すことを停止するようにＰＨＹに指示する。別の実施形態では、ＭＡＣエンティティ、ビーム障害検出のために構成された基準信号の測定を停止するようにＰＨＹに要求することができる。図２は、本開示の一実施形態によるＢＦＤ指示を停止する手順を示す。
【００２３】
一実施形態では、ＭＡＣエンティティがＢＦＤタイマ実行を停止し、かつ／またはＢＦＩカウンタをリセットまたは無効にすることによってＢＦＩカウンタがＢＦＩをカウントするのを停止する。ＰＨＹはビーム障害が連続的に検出される場合、ＢＦＩをＭＡＣに送信し続けることができ、ＭＡＣエンティティは、ＢＦＩの受信を無視するか、またはＢＦＤタイマを無効にすることができる。図３では、時間ｔ３において、ＭＡＣエンティティによって受信されたＢＦＩの数がＭＢＦＩを超え、それに応じてＢＦＲに対するランダムアクセス手順がトリガされる。ＭＡＣエンティティは時間ｔ６、ｔ７およびｔ８で追加のＢＦＩを連続的に受信するが、ＭＡＣエンティティが追加のＢＦＩの受信を無視し、ＢＦＲのランダムアクセスの重複トリガを回避するように、ＢＦＩカウンタを停止または無効にすることができる。
【００２４】
あるいは、いったんＢＦＲのランダムアクセスが時刻ｔ３でトリガされると、ＢＦＤタイマが時刻ｔ６でＢＦＩの受信に応じて再起動されないように、ビーム障害検出が停止または無効化される。したがって、ＢＦＲのためのランダムアクセスがトリガされると、ビーム障害検出を停止／無効にすることによって、ランダムアクセスの重複トリガを防止することができる。
【００２５】
また、ＭＡＣエンティティはＢＦＲのための進行中のランダムアクセス手順があるときに、ＰＨＹからＢＦＩを直接引き出すことができる。ＭＡＣエンティティは、ＢＦＲが正常に完了するまで、ＢＦＩ通知を処理するプロセスを再開することができる。
【００２６】
上述の実施形態は、ビーム障害検出がコンポーネントキャリア（ＣＣ：Ｃｏｍｐｏｎｅｎｔ  Ｃａｒｒｉｅｒ）毎に停止される、ＰＣｅｌｌおよび／またはＳＣｅｌｌ上のＢＦＲに適用され得ることに留意されたい。
【００２７】
一実施形態では、ＭＡＣエンティティがＰＨＹからＢＦＩを受信し続け（ＢＦＩ通知を処理し続け）、ＢＦＩカウンタによってＢＦＩをカウントし続け、ＢＦＲ手順が実行されるとＢＦＤタイマ実行し続けることができる。ＢＦＤタイマが満了し、かつ／またはＢＦＩカウンタがＢＦＲのためにトリガされた進行中のランダムアクセス手順中にＢＦＩカウント閾値を超えると、ＭＡＣエンティティは、応答のための特定の手順をトリガする。図４では、ＢＦＩ＿ＣＯＵＮＴＥＲによってカウントされた受信ＢＦＩの数がカウント閾値ＭＢＦＩを超える時間ｔ３で、ビーム障害回復が行われている。ｔ３後、ｔ３でトリガされたＢＦＲ手順がまだ進行中である間、別のビーム障害回復をトリガするための状態は、時間ｔ８で満たされる。実施形態では、ＭＡＣエンティティがｔ８でのＢＦＲのための別のランダムアクセス手順のトリガを省略することができる。
【００２８】
あるいはｔ３後、別のビーム障害回復をトリガする状態はｔ３でトリガされたＢＦＲ手順がまだ進行中である間、時間ｔ８で満たされる。ＭＡＣエンティティはｔ８における条件付きＢＦＲ手続きを、ｔ３でトリガされるランダムアクセス手続きとは異なったランダムアクセスパラメタの特定の集合を適用することによってトリガすることができ、および／または、ｔ３でトリガされるランダムアクセス手続きとは異なった物理的ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）リソース上のｔ８における条件付きＢＦＲ手続きをトリガすることができる。
【００２９】
あるいは、ＭＡＣエンティティが対応して進行中のランダムアクセス手順を停止することによって、現在進行中のビーム障害回復手順をキャンセルすることができる。図４では、ＢＦＲのランダムアクセス手順が時間ｔ３でトリガされる。ＢＦＩカウンタがリセットされた場合、ＢＦＤタイマがｔ５で期限切れになった場合、またはＢＦＤタイマが特定の閾値に達した場合。この閾値はＭＢＦＤとは異なり、ＢＦＩカウンタをリセットするように設定できる。特定の閾値は、進行中のビーム障害回復手順をキャンセルするかどうかを決定するためにｇＮＢによって構成される別の閾値である。
【００３０】
ＢＦＲのために実行される進行中のランダムアクセスは、ランダムアクセス手順の間の異なる段階で、いくつかの代替手段によって停止されてもよい。例えば、ＭＡＣエンティティはランダムアクセスプリアンブル送信を停止し、メッセージ３送信を停止し、ランダムアクセス応答のために受信した情報を無視し、またはメッセージ４の受信時に情報を無視することによって、ランダムアクセス手順を停止することができる。さらに、プリアンブル送信中には、「ランダムアクセスリソース選択」と「ランダムアクセスレスポンス受信」の２つのサブステージがあり、各ランダムアクセスプリアンブル（再）送信前に、ＭＡＣ事業体はＢＦＤタイマが有効期限切れかどうかをチェックすることができる。
【００３１】
ＢＦＲに対してトリガされるランダムアクセス手順が競合ベースのランダムアクセスである場合、ＭＡＣエンティティは、各メッセージ３（再）送信の前にＢＦＤタイマが期限切れになるかどうかをチェックすることがある。メッセージ３（再）送信は、ＵＥがプリアンブル送信に応答してランダムアクセス応答を受信した後、無線リソース制御（ＲＲＣ）メッセージを送信することである。
【００３２】
あるいは、ＭＡＣエンティティがＢＦＲのための進行中のランダムアクセス手順を停止するために、プリアンブル（再）送信に応答してｇＮＢから送信されるランダムアクセス応答（ＲＡＲ：Ｒａｎｄｏｍ  Ａｃｃｅｓｓ  Ｒｅｓｐｏｎｓｅ）の監視を停止することができる。ＭＡＣエンティティは、ＵＥが受信したＲＡＲに含まれる情報／命令を無視することがある。
【００３３】
あるいは、ＭＡＣエンティティがＢＦＲのための進行中のランダムアクセス手順を停止するために、メッセージ３の送信（例えば、ＲＲＣＣｏｎｎｅｃｔｉｏｎＲｅｑｕｅｓｔ）に応答して、ｇＮＢから送信されたメッセージ４の送信を監視することを停止してもよい。メッセージ４は、ＵＥからのメッセージ送信に応答してｇＮＢからＵＥに送信されるＲＲＣ受諾メッセージである。
【００３４】
あるいは、ＭＡＣエンティティが競合解決が正常に完了した場合（例えば、メッセージ４がＵＥのアイデンティティによってスクランブルされた場合）にのみ、メッセージ４の送信を監視し、メッセージ４に含まれる情報／命令に従うことができる。しかしながら、メッセージ４が受信されないか、あるいはメッセージ４が受信されるが、競合解決がうまく完了しない（例えば、メッセージ４がＵＥのアイデンティティによってスクランブルされない）場合、ＭＡＣエンティティはメッセージ４の再送を停止する可能性がある。
【００３５】
ＵＥがキャリアアグリゲーション（ＣＡ）で設定されている間、ＵＥは設定された各サービングセルに対してｇＮＢによって、それぞれのセル固有の設定情報（例えば、ＲａｄｉｏＬｉｎｋＭｏｎｉｔｏｒｉｎｇＣｏｎｆｉｇおよび／またはＢｅａｍＦａｉｌｕｒｅＲｅｃｏｖｅｒｙＣｏｎｆｉｇ）で設定される。ＣＡの場合、ＵＥの単一のＭＡＣエンティティは、ＭＡＣエンティティに関連する複数のセルのデータスケジューリングを処理してもよい。したがって、ビーム障害回復のためのランダムアクセス手順は複数のサービングセル（例えば、ＰＣｅｌｌ／ＳｐＣｅｌｌおよびＳＣｅｌｌ）の中のＭＡＣエンティティによって実行され得る。
【００３６】
図５は、本開示の一実施形態による、ＵＥがビーム障害回復のための条件付きランダムアクセス手順を実行するための決定フローチャートである。図５において、ＢＦＩカウンタの値がＭＢＦＩよりも高くなると、ＭＡＣエンティティは特定の条件が満たされた場合にのみ、ランダムアクセス手順をトリガすることによって、ビーム障害回復を開始する。それ以外の場合、ＭＡＣエンティティは、ビーム回復のための別の特定の手順をトリガすることができる。
【００３７】
アクションＳ５０１において、ＵＥはビーム障害検出を開始し、ＢＦＩカウンタをゼロに設定する。アクションＳ５０２において、ＵＥは、ＰＨＹからビーム障害インディケイション（ＢＦＩ）を受信するかどうかを検出する。アクションＳ５０３において、ＵＥは、ＢＦＩが下位サブレイヤから受信されていないときに開始されたビーム障害検出（ＢＦＤ）タイマの満了を判定する。アクションＳ５０４において、ＵＥは、ＢＦＤタイマが満了した場合、ＢＦＩカウンタをゼロにリセットする。アクションＳ５０５において、ＵＥはビーム障害検出（ＢＦＤ）タイマを開始または再開し、ＢＦＩを受信すると、ＢＦＩカウンタを１だけ増加させることによって、受信されたＢＦＩの数をカウントする。アクションＳ５０６で、ＵＥは、ＢＦＩカウンタの値がＢＦＩカウント閾値ＭＢＦＩを超えているかどうかを判定する（受信したＢＦＩのカウント数がＭＢＦＩより大きい）。ステップＳ５０７において、端末は、ＢＦＩカウンタの値がＭＢＦＩを超えた場合、ＢＦＲ（ｂｅａｍ  ｆａｉｌｕｒｅ  ｒｅｃｏｖｅｒｙ）を開始する。ＢＦＲが開始されると、ＵＥはアクションＳ５０８において、ＢＦＲのための対応するランダムアクセス手順をトリガするために、特定の条件が満たされるかどうかをさらにチェックする。特定の条件が満たされる場合、対応するランダムアクセス手順がアクションＳ５１０においてトリガされ、条件が満たされない場合、ＵＥは、アクションＳ５０９において、ＢＦＲのための別の特定の手順を開始する。
【００３８】
ビーム障害回復に応答してこれらの条件のうちの１つが満たされる場合に、対応するランダムアクセスをトリガするように構成され得る様々な条件がある。
【００３９】
一実施形態では、ＢＦＲによってトリガされるランダムアクセス手順が同じおよび／または他のサービングセル内で進行中ではない。
【００４０】
一実施形態では、ＢＦＲによってトリガされる競合ベースのランダムアクセス手順が同じおよび／またはその他サービングセル内で進行中ではない。
【００４１】
一実施形態では、同じおよび／または他のサービングセル内のＢＦＲによってトリガされる進行中の無競合ランダムアクセス手順はない。
【００４２】
一実施形態ではＢＦＲはＳＣｅｌｌでトリガされるが、ＢＦＲによってトリガされる進行中のランダムアクセス手順はＰＣｅｌｌ／ＳｐＣｅｌｌで進行中ではない。
【００４３】
一実施形態ではＢＦＲはＳＣｅｌｌでトリガされるが、ＢＦＲによってトリガされる進行中の無競合ランダムアクセス手順はＰＣｅｌｌ／ＳｐＣｅｌｌで進行中ではない。
【００４４】
一実施形態ではＢＦＲはＳＣｅｌｌでトリガされるが、同じおよび／または他のサービングセルでＢＦＲによってトリガされる進行中の競合ベースのランダムアクセス手順はない。
【００４５】
一実施形態ではＢＦＲがＳＣｅｌｌでトリガされ、ＢＦＲによってトリガされる進行中の無競合ランダムアクセス手順はＰＣｅｌｌ／ＳｐＣｅｌｌで進行中ではなく、ＳＣｅｌｌはＳＣｅｌｌ内のＢＦＲのための無競合ランダムアクセスリソースで構成される。
【００４６】
一実施形態ではＢＦＲがＰＣｅｌｌ／ＳｐＣｅｌｌでトリガされ、ＢＦＲによってトリガされる進行中の無競合ランダムアクセス手順はＳＣｅｌｌで進行中ではなく、ＰＣｅｌｌはＰＣｅｌｌ／ＳｐＣｅｌｌ内のＢＦＲのための無競合ランダムアクセスリソースで構成される。
【００４７】
一実施形態では、ＢＦＲが同じＢＦＲ同様内で進行中であることによってトリガされるランダムアクセス手順はない。ＢＦＲ群が、ランダムアクセスリソース、ジョイント検出ビーム障害および／またはジョイントビーム障害回復／報告（ｊｏｉｎｔ  ｂｅａｍ  ｆａｉｌｕｒｅ  ｒｅｃｏｖｅｒｙ／ｒｅｐｏｒｔｉｎｇ）を共有するためにｇＮＢによって設定された複数のサービングセルの群である場合（。
【００４８】
一実施形態では、特定のＢＦＲが進行中であることによってトリガされるランダムアクセス手順はない。
【００４９】
一実施形態では、特定のＢＦＲが新しいトリガされたＢＦＲのＢＦＤと同じ組のＣＳＩ−ＲＳ、ＣＳＩ−ＲＳインデックス、ＳＳＢ、ＳＳＢインデックス及び／又はＵＥ／セル／ＢＷＰ／ビーム特定参照信号をモニターするＢＦＤによってトリガされるＢＦＲであってもよい。
【００５０】
一実施形態では、特定のＢＦＲがｇＮＢを新たにトリガされたＢＦＲと同じＳＳＢ、ＳＳＢ-Ｉｎｄｅｘに回復／指示する傾向があるＢＦＲとすることができる。
【００５１】
一実施形態では、ＢＦＲによってトリガされる他の進行中のランダムアクセス手順がない場合、トリガされ、終了しない。
【００５２】
ＢＦＲのための条件付きランダムアクセスをトリガするための条件は上述した条件を含むことができるが、これに限定されない。
【００５３】
一実施形態では、ＢＦＲによってトリガされる進行中のランダムアクセス手順がＳＣｅｌｌで進行中である間に、ＢＦＲがＰＣｅｌｌ／ＳｐＣｅｌｌでトリガされると、ＭＡＣエンティティは新しいトリガされたＢＦＲのための新しいランダムアクセス手順をトリガし、元のトリガされたＢＦＲのための進行中のランダムアクセス手順をキャンセルする。
【００５４】
一実施形態では、ＭＡＣエンティティが進行中のランダムアクセスの目的を考慮することによって、新しいトリガされたＢＦＲのためのランダムアクセス手順を条件付きで開始することができる。ＢＦＲのためのランダムアクセス手順は他の目的（例えば、システム情報要求）のためのランダムアクセスよりも緊急であるので、ＢＦＲのためのランダムアクセスが他の目的（複数可）のための他の進行中のランダムアクセスがあっても開始されることを可能にすることがより良く、ＭＡＣエンティティは、他の目的のために進行中のランダムアクセスをキャンセルすべきである。この種の決定は、より多くの実施例にさらに拡張することができる。例えば、ＵＥは、ＢＦＲのためのランダムアクセスが進行中のランダムアクセスと同じ目的および／またはＢＷＰ  ＩＤおよび／またはサービングセルＩＤを有する場合、ＢＷＰ  ＩＤまたはサービングセルＩＤ、あるいはこれらの規則の組み合わせ、またはこれらの規則の共同考慮に基づいて決定を行うことができる。
【００５５】
一実施形態では、ＢＦＲに適用されるＳＣｅｌｌが異なるタイミング・アドバンスド・グループ（ＴＡＧ：Ｔｉｍｉｎｇ  Ａｄｖａｎｃｅｄ  Ｇｒｏｕｐ）に属し、ＢＦＲの異なるＰＲＡＣＨリソース上で並列ランダムアクセス・プロセスを有することが可能である。
【００５６】
特定の条件が満たされないと、特定の特定の手順がＵＥによって開始され得る。
【００５７】
一実施形態では、ジョイントビーム障害回復が他のＢＦＲによってトリガされる進行中のランダムアクセス手順と共に適用されてもよい。ジョイント・ビーム障害回復は、ＵＥが非障害セルを介して特定のＭＡＣ制御要素によって、または対応するビームへの暗黙のマッピングを有する事前に設定されたランダムアクセスチャネル・リソースを選択することによって、どの新しいビームをＵＥが回復したいかを、ＵＥが明示的または暗黙的に示す工程を含むことができる。
【００５８】
一実施形態では、新しいトリガされたＢＦＲのための新しいランダムアクセス手順がトリガされ、元のトリガされたＢＦＲのための進行中のランダムアクセス手順がキャンセルされ得る。
【００５９】
一実施形態では、新たにトリガされたＢＦＲが単に直接キャンセルされる。
【００６０】
さらに、ＵＥのＭＡＣエンティティは、条件付きトリガＢＦＲによる複数のトリガＢＦＲによる複数のランダムアクセスの開始の競合を処理することができる。ＵＥのＭＡＣエンティティのＢＦＩカウンタの値がＭＢＦＩよりも高くなると、ＭＡＣエンティティは固有の状態を確認してから、対応するＢＦＲプロシージャをトリガする必要がある。ＢＦＲは、特別な条件が満たされたときにのみトリガされることが手段である。それ以外の場合、ＭＡＣエンティティは、別の特定の手順をトリガする。
【００６１】
図６は、本開示の１つの実施形態による、条件付きビーム障害回復を実行するためのＵＥのための決定フローチャートである。図６において、ＢＦＩカウンタの値がＭＢＦＩよりも高くなると、ＭＡＣエンティティは特定のトリガ条件が満たされた場合にのみ、条件付きビーム障害回復を開始する。それ以外の場合、ＭＡＣエンティティは、ビーム障害回復のための別の特定の手順をトリガすることができる。
【００６２】
アクションＳ６０１において、ＵＥはビーム障害検出を開始し、ＢＦＩカウンタをゼロに設定する。アクションＳ６０２において、ＵＥは、ＰＨＹからビーム障害インディケイション（ＢＦＩ）を受信したかどうかを検出する。アクションＳ６０３において、ＵＥは、ＢＦＩが下位サブレイヤから受信されていないときに開始されたビーム障害検出（ＢＦＤ）タイマの満了を判定する。アクションＳ６０４において、ＵＥは、ＢＦＤタイマが満了した場合、ＢＦＩカウンタをゼロにリセットする。アクションＳ６０５において、ＵＥはビーム障害検出（ＢＦＤ）タイマを開始または再開し、ＢＦＩを受信すると、ＢＦＩカウンタを１だけ増加させることによって、受信されたＢＦＩの数をカウントする。アクションＳ６０６で、ＵＥは、ＢＦＩカウンタの値がＢＦＩカウント閾値ＭＢＦＩを超えているかどうかを判定する（受信したＢＦＩのカウント数がＭＢＦＩより大きい）。アクションＳ６０７では、ＢＦＩカウンタの値がＭＢＦＩを超えた場合、ビーム障害回復（ＢＦＲ）を開始するための特定の条件が満たされているかどうかを確認する。特定の状態が満たされる場合、対応するランダムアクセス手順はアクションＳ６０９において、状態付きで開始されたＢＦＲに対してトリガされ、状態が満たされない場合、ＵＥはアクションＳ６０８において、ＢＦＲに対する別の特定の手順を開始する。
【００６３】
ランダムアクセス手順をトリガする前に、条件付きビーム障害回復を開始するかどうかを決定するように構成することができる様々な条件がある。
【００６４】
一実施形態では、他のサービングセルのＢＦＩカウンタが特定の閾値を上回る（例えば、他のセルが不安定であるときにリンク状態を暗黙的に表す）場合、ＳＣｅｌｌ上の対応するビームを回復することが好ましい。
【００６５】
一実施形態では、ＳＣｅｌｌが特定の周波数で動作している場合。例えば、ＳＣｅｌｌがＦＲ２（周波数範囲２）で動作され、ＰＣｅｌｌがＦＲ１（周波数範囲１）で動作される場合、おそらく、ＳＣｅｌｌが故障している間、ＳＣｅｌｌ内のビーム管理を停止することが実行可能である。なお、ＦＲ１はサブ６ＧＨｚ（４５０ＭＨｚ〜６０００ＭＨｚ）、ＦＲ２はｍｍＷａｖｅ（２４２５０ＭＨｚ〜５２６００ＭＨｚ）を指す。
【００６６】
一実施形態では、構成／確立されたＤＲＢ（専用無線ベアラ）または論理チャネルが特定のＱＣＩ（ＱｏＳクラス識別子）またはスライスに属する場合、。例えば、データレート要件（例えば、最大ビットレートまたはＭＢＲ）が特定のスループットよりも高い場合、おそらく、ある期間にわたってＳＣｅｌｌ上のビーム管理を停止しないことが実現可能であろう。この期間の長さは、ＵＥの実装、ＮＷの構成、または事前定義された固定のものによって決定される可能性がある。
【００６７】
一実施形態では、相対ＣＦＲＡ（Ｃｏｎｔｅｎｔｉｏｎ−Ｆｒｅｅ  Ｒａｎｄｏｍ  Ａｃｃｅｓｓ）リソースがＳＣｅｌｌ上のＢＦＲに割り当てられている場合。
【００６８】
一実施形態では、ＵＥ速度が閾値未満である場合（例えば、速度状態が中速未満である場合）。
【００６９】
一実施形態では、アクティブＢＷＰが何らかの特定のＢＷＰ（例えば、デフォルトＢＷＰ）に属する場合。
【００７０】
一実施形態では、ＵＥのために構成された複数のＴＲＰがない場合。
【００７１】
条件付きビーム障害回復をトリガするための条件は上述したものを含むことができるが、これに限定されない。
【００７２】
一実施形態では、特定の条件がＢｅａｍＦａｉｌｕｒｅＲｅｃｏｖｅｒｙＣｏｎｆｉｇおよび／またはランダムアクセスチャネルリソースがサービングセル／ＢＷＰ用に構成されているかどうかでもよい。ＢＦＲトリガ条件が満たされないと、ＵＥは特定のサービングセル／ＢＷＰのビーム障害回復を中止し、かつ／またはＢＦＩカウンタおよび／またはＢＦＤタイマ動作状態に保つことができる。あるいは、ＵＥがＢＦＲトリガ条件が満たされないと、ＢＦＩカウンタおよび／またはＢＦＤタイマ無効にすることができる。
【００７３】
一実施形態ではＢＦＲ条件評価がＢＦＤ手順を開始する前に行うことができ、すなわち、ｇＮＢはＢＦＲを構成することができるが、ＢＦＲ関連動作を暗黙的に可能にするのはＵＥの状態次第である。
【００７４】
ＳＣｅｌｌ上でのビーム障害検出の支持により、ＵＥは、サービスするＳＣｅｌｌの各々について測定及び検出のための参照信号のセットで構成される。ビーム対応参照信号セットは帯域幅部分（ＢＷＰ）ごと、および構成されるサービングセルごとであるので、参照シグナリング監視上の負荷およびオーバヘッドはＵＥが構成されるＢＷＰおよびサービングセルの増加とともに増加する。したがって、ＢＷＰおよびサービングセルのそれぞれの上のＢＦＤは、明示的な信号または事前に構成された暗黙のメカニズムによって、独立してアクティブ化および／または非アクティブ化され得る。ＢＦＤアクティブ化および非アクティブ化機構は異なる配備シナリオ（例えば、動作周波数帯域）に基づいて適用することもできる。例えば、ＰＣｅｌｌおよびＳｐＣｅｌｌ上のＢＦＤは、暗黙のメカニズムを適用することができる。
【００７５】
ＵＥがキャリアアグリゲーションで構成されると、構成されたサービングＳＣｅｌｌのそれぞれは、ｇＮＢによって独立してアクティブ化および非アクティブ化され得る。ＰＣｅｌｌ／ＳｐＣｅｌｌについてはその担体（複数可）が制御信号にとって重要であるので、ＰＣｅｌｌ／ＳｐＣｅｌｌはＵＥがＲＲＣ接続状態を離れるまで常にアクティブ化されたままである。したがって、ＰＣｅｌｌ／ＳｐＣｅｌｌ上のＢＦＤ手順は、ＵＥがＲａｄｉｏＬｉｎｋＭｏｎｉｔｏｒｉｎｇＣｏｎｆｉｇおよび／またはＢｅａｍＦａｉｌｕｒｅＲｅｃｏｖｅｒｙＣｏｎｆｉｇなどの、ＢＦＤおよび／またはＢＦＲに対応するＲＲＣ構成で構成された直後に開始することができる。
【００７６】
これらの（再）構成が受信されると、および／または下位サブレイヤにビーム障害インディケイション送信およびビーム障害対応基準シグナル計測手順を始動するように指示する前に、ＢＦＩカウンタを開始／０にリセットすることができることを意味する。ＳＣｅｌｌの場合、ＲａｄｉｏＬｉｎｋＭｏｎｉｔｏｒｉｎｇＣｏｎｆｉｇおよび／またはＢｅａｍＦａｉｌｕｒｅＲｅｃｏｖｅｒｙＣｏｎｆｉｇは、ＳＣｅｌｌがアクティブ化される前にｇＮＢによって設定することができる。このため、ＳＣｅｌｌ内のＢＦＤ手順はＳＣｅｌｌの活性化と共に、ＭＡＣ制御エレメント（ＭＡＣ  ＣＥ）のような明示的なシグナルまたは特定のダウンリンク制御インジケータ（ＤＣＩ）を受け取る下位サブレイからの指示のいずれかを起動することができる。
【００７７】
さらに、ＳＣｅｌｌが非アクティブ化されている間、ＢＦＩカウンタおよび／またはＢＦＤタイマはＳＣｅｌｌのアクティブ化を受信するときにクリアされ、リセットされ得る（たとえば、ＢＦＤの構成および／またはＢＦＲの構成は、それにもかかわらず、ＳＣｅｌｌがアクティブ化または非アクティブ化されることに留意されたい）
図７は、本開示の様々な例示的な実施形態による、無線通信のためのデバイスのブロック図を示す。図７に示すように、装置７００は、トランシーバ７２０、プロセッサ７２６、メモリ７２８、１つまたは複数のプレゼンテーションコンポーネント７３４、および少なくとも１つのアンテナ７３６を含むことができる。装置７００はまた、ＲＦスペクトル帯域モジュール、基地局通信モジュール、ネットワーク通信モジュール、およびシステム通信管理モジュール、入出力（Ｉ／Ｏ）ポート、Ｉ／Ｏ構成要素、および電源（図７には明示的に示されていない）を含むことができる。これらの構成要素のそれぞれは、１つまたは複数のバス７３８を介して、直接的または間接的に互いに通信することができる。
【００７８】
送信機７２２および受信機７２４を有するトランシーバ７２０は、時間および／または周波数リソース分割情報を送信および／または受信するように構成され得る。いくつかの実施形態ではトランシーバ７２０が使用可能、使用不可能、および柔軟に使用可能なサブフレームおよびスロットフォーマットを含むが、これらに限定されない、異なるタイプのサブフレームおよびスロットで送信するように構成され得る。トランシーバ７２０は、データおよび制御チャネルを受信するように構成され得る。
【００７９】
装置７００は、様々なコンピュータ読み取り可能媒体を含むことができる。コンピュータ読み取り可能媒体は、装置７００によってアクセスされ得る任意の利用可能な媒体でありえ、揮発性および不揮発性媒体、リムーバブルおよび非リムーバブル媒体の両方を含む。限定ではなく例として、コンピュータ読み取り可能媒体は、コンピュータ記憶媒体および通信媒体を含み得る。コンピュータ記憶媒体は、コンピュータ読み取り可能命令、他データ構造、プログラムモジュール、又は他の他データなどの情報を記憶するための任意の方法又は技術で実装される、揮発性及び不揮発性、リムーバブル及び非リムーバブル媒体の両方を含む。
【００８０】
コンピュータ記憶媒体は、ＲＡＭ、ＲＯＭ、ＥＥＰＲＯＭ（登録商標）、フラッシュメモリまたは他のメモリ技術、ＣＤ−ＲＯＭ、デジタル多用途ディスク（ＤＶＤ）または他の光ディスク記憶装置、磁気カセット、磁気テープ、磁気ディスク記憶装置または他の磁気記憶装置を含む。コンピュータ記憶媒体は、伝播データ信号を含まない。通信媒体は典型的にはコンピュータ読み取り可能命令、データ構造、プログラムモジュール、または他のデータを、搬送波または他のトランスポート機構などの変調データ信号で具現化し、任意の情報配信媒体を含む。「変調されたデータ信号」というタームは、その特性のうちの１つまたは複数が信号内に符号化されるように設定または変更された信号を意味する。限定ではなく例として、通信媒体は、有線ネットワークまたは直接有線接続などの有線媒体と、音響、ＲＦ、赤外線、および他の無線媒体などの無線媒体とを含む。上記のいずれかの組合せも、コンピュータ読み取り可能媒体の範囲内に含まれるべきである。
【００８１】
メモリ７２８は、揮発性および／または不揮発性メモリの形態のコンピュータ記憶媒体を含み得る。メモリ７２８は、取り外し可能、取り外し不能、またはそれらの組み合わせであってもよい。例示的なメモリは、ソリッドステートメモリ、ハードドライブ、光ディスクドライブなどを含む。図７に示すように、メモリ７２８は実行されると、プロセッサ７２６に、例えば、図１から図６を参照して、本明細書に記載する様々な機能を実行させるように構成された、コンピュータ読み取り可能なコンピュータ実行可能命令７３２（例えば、ソフトウェアコード）を記憶することができる。あるいは、命令７３２がプロセッサ７２６によって直接実行可能ではなく、本明細書に記載する様々な機能を実行するために装置７００（例えば、コンパイルされ実行されるとき）を引き起こすように構成されてもよい。
【００８２】
プロセッサ７２６はインテリジェントハードウェアデバイス、例えば、中央処理装置（ＣＰＵ）、マイクロコントローラ、ＡＳＩＣなどを含むことができる。プロセッサ７２６は、メモリを含んでもよい。プロセッサ７２６は、メモリ７２８から受信したデータ７３０および命令７３２、ならびに送受信器７２０、ベースバンド通信モジュール、および／またはネットワーク通信モジュールを介して情報を処理することができる。プロセッサ７２６はまた、コアネットワークへの送信のために、アンテナ７３６を介してネットワーク通信モジュールに送信するためにトランシーバ７２０に送信される情報を処理することができる。
【００８３】
１つまたは複数のプレゼンテーションコンポーネント７３４は、人または他のデバイスにデータ表示を提示する。例示的な１つまたは複数のプレゼンテーションコンポーネント７３４は、表示デバイス、スピーカー、印刷コンポーネント、振動コンポーネントなどを含む。
【００８４】
上記の説明から、様々な技術が、それらの概念の範囲から逸脱することなく、本開示で説明される概念を実施するために使用されることができることが明らかである。さらに、概念は特定の実施形態を特に参照して説明されたが、当業者はそれらの概念の範囲から逸脱することなく、形態および詳細において変更がなされ得ることを認識するのであろう。したがって、説明された態様はすべての点において、例示的なものであり、限定的なものではないと考えられるべきである。また、本開示は、上述した特定の実施形態に限定されるものではなく、本開示の範囲から逸脱することなく、多くの再構成、修正、および置換が可能であることを理解されたい。
【図１】
2021515477.tif 000003
【図２】
2021515477.tif 000004
【図３】
2021515477.tif 000005
【図４】
2021515477.tif 000006
【図５】
2021515477.tif 000007
【図６】
2021515477.tif 000008
【図７】
2021515477.tif 000009
【国際調査報告】
2021515477.tif 000010